(57)【要約】【課題】オペレーターが、帳票の画像に対して、効率良くかつ適切に、設定作業を行うことができる帳票画像処理装置を提供する。【解決手段】帳票定義装置１は、帳票の画像を取得するための通信部１１と、取得した帳票の画像を表示するための表示部１５と、表示された帳票の画像に対する領域を指定し、当該指定した領域に対する設定を付する操作を行うための操作部１４と、制御部１２とを備える。制御部１２は、操作部１４を介して指定された領域の特徴である領域特徴を検出し、検出した領域特徴に基づいて、帳票の画像から対応する他の領域を抽出し、当該抽出した領域に対し、操作部１４により付された上述の設定を適用する。【選択図】図３
2019095858.tif 000002
【特許請求の範囲】
【請求項１】
帳票の画像に対し所定の設定を付するための帳票画像処理装置であって、
前記帳票の画像を取得するための画像取得部と、
前記画像取得部にて取得した帳票の画像を表示するための表示部と、
前記表示部に表示された帳票の画像に対する領域を指定し、当該指定した領域に対する設定を付する操作を行うための操作部と、
前記操作部により指定された領域の特徴である領域特徴を検出し、検出した領域特徴に基づいて、前記帳票の画像から対応する他の領域を抽出し、当該抽出した領域に対し、前記操作部により付された前記設定を適用する制御部と、
を備えることを特徴とする帳票画像処理装置。
【請求項２】
前記制御部は、前記領域特徴として、
前記帳票の画像において、前記操作部により指定された領域を含む最小の枠を構成する罫線レイアウトを検出する、
ことを特徴とする請求項１に記載の帳票画像処理装置。
【請求項３】
前記制御部は、前記領域特徴として、
前記帳票の画像において、前記操作部により指定された領域に含まれる最大の枠を構成する罫線レイアウトを検出する、
ことを特徴とする請求項１に記載の帳票画像処理装置。
【請求項４】
前記制御部は、前記領域特徴として、
前記帳票の画像において、前記操作部により指定された領域に対応する枠に含まれる文字を検出する、
ことを特徴とする請求項１ないし３のいずれか一項に記載の帳票画像処理装置。
【請求項５】
前記制御部は、前記領域特徴として、
前記操作部により指定された領域の、前記帳票の画像における短手方向または長手方向の位置を検出する、
ことを特徴とする請求項１ないし４のいずれか一項に記載の帳票画像処理装置。
【請求項６】
前記表示部は、
前記画像取得部にて取得した画像に、前記制御部が抽出した前記他の領域を対応付けて表示し、
前記操作部は、
前記表示部に表示された前記他の領域の選択を受け付け、
前記制御部は、
前記操作部を介して選択された前記他の領域に対し、前記設定を適用する、
ことを特徴とする請求項１ないし５のいずれか一項に記載の帳票画像処理装置。
【請求項７】
前記設定には、前記指定された領域の記載情報を削除する設定が含まれる、
ことを特徴とする請求項１ないし６のいずれか一項に記載の帳票画像処理装置。
【請求項８】
前記制御部は、
前記操作部により指定された領域に領域の名称を構成する文字が含まれる場合には、前記表示部により、所定の態様による報知を行う、
ことを特徴とする請求項７に記載の帳票画像処理装置。
【請求項９】
前記操作部は、当該操作部により指定された領域に含まれる記載情報を文字認識するための設定値である文字認識設定の入力を受け付け、
前記設定には、前記操作部により入力された文字認識設定が含まれる、
ことを特徴とする請求項１ないし８のいずれか一項に記載の帳票画像処理装置。
【請求項１０】
前記制御部は、
前記操作部により指定された領域に、当該操作部により受け付けた文字認識設定に適さない文字が含まれる場合には、前記表示部により、所定の態様による報知を行う、
ことを特徴とする請求項９に記載の帳票画像処理装置。
【請求項１１】
帳票の画像に対し所定の設定を付するための帳票画像処理システムであって、
前記帳票の画像を取得するための画像取得部と、
前記画像取得部にて取得した帳票の画像を表示するための表示部と、
前記表示部に表示された帳票の画像に対する領域を指定し、当該指定した領域に対する設定を付する操作を行うための操作部と、
前記操作部により指定された領域の特徴である領域特徴を検出し、検出した領域特徴に基づいて、前記帳票の画像から対応する他の領域を抽出し、当該抽出した領域に対し、前記操作部により付された前記設定を適用する制御部と、
を備えることを特徴とする帳票画像処理システム。
【請求項１２】
帳票の画像に対し所定の設定を付するための帳票画像処理方法であって、
前記帳票の画像を取得するための工程と、
取得した帳票の画像を表示するための工程と、
前記表示された帳票の画像に対する領域を指定し、当該指定した領域に対する設定を付する操作を受け付ける工程と、
前記指定された領域の特徴である領域特徴を検出し、検出した領域特徴に基づいて、前記帳票の画像から対応する他の領域を抽出し、当該抽出した他の領域に対し、前記指定した領域に付された前記設定を適用する工程と、を含む、
ことを特徴とする帳票画像処理方法。
【請求項１３】
帳票の画像に対し、所定の設定を付するための処理をコンピューターに実行させるプログラムであって、
帳票の画像を表示するための処理と、
前記表示された帳票の画像に対する領域を指定し、当該指定した領域に対する設定を付する操作を受け付ける処理と、
前記指定された領域の特徴である領域特徴を検出し、検出した領域特徴に基づいて、前記帳票の画像から対応する他の領域を抽出し、当該抽出した他の領域に対し、前記指定した領域に付された設定を適用する処理と、
を含むプログラム。
【発明の詳細な説明】
【技術分野】
【０００１】
本発明は、帳票画像処理装置、帳票画像処理システム、帳票画像処理方法およびプログラムに関する。
【背景技術】
【０００２】
公共料金など各種料金の支払いに、各種様式の帳票が用いられている。この支払いは、金融機関の窓口の他、金融機関に設置された帳票処理装置を用いることによっても行われ得る。帳票処理装置は、払込人によりセットされた帳票の画像をスキャナ等で取得し、取得した帳票の画像から、氏名または名称、住所または所在地、納付金額および受領印等の情報を、文字認識技術を用いて読み取る。そして、帳票処理装置は、読み取った情報に基づいて、払込人に対し、モニタ等を介して入金を要求する。こうして、当該帳票に対する支払いが進められる。
【０００３】
ここで、帳票処理装置には、予め、帳票の種別ごとに、文字認識処理を行うべき領域を特定する設定と、当該領域に対する文字認識処理の設定値とが登録される。このような情報を作成する装置として、たとえば、特許文献１記載の装置がある。この装置では、複数の帳票のうち、帳票の枠の特徴などが同一または類似する帳票が、グルーピングされる。そして、グループに含まれる一つの帳票の画像に対し、オペレーターが所定の設定を行うと、当該グループに含まれる他の画像に対しても、同様の設定が一括して行われる。これにより、帳票の画像に対する設定作業が省力化され得る。
【先行技術文献】
【特許文献】
【０００４】
【特許文献１】特開２０１２−１９０４３４号公報
【発明の概要】
【発明が解決しようとする課題】
【０００５】
ところで、図１に記載されているようなミシン目を境に、１枚の帳票が３つの領域に分割されている連続帳票について、文字認識処理等の設定を行う場合がある。これらの３つの領域は、各々、レイアウトが同一または類似している場合が多い。このような連続帳票について文字認識処理等の設定を行う場合、領域ごとに逐一設定を行わなければならない。このような作業は、オペレーターにとって、極めて煩雑である。
【０００６】
上記課題に鑑み、本発明は、帳票の画像に対して、効率良くかつ適切に設定作業を行うことが可能な帳票画像処理装置、帳票画像処理システム、帳票画像処理方法およびプログラムを提供することを目的とする。
【課題を解決するための手段】
【０００７】
本発明の第１の態様は、帳票の画像に対し所定の設定を付するための帳票画像処理装置に関する。本態様に係る帳票画像処理装置は、帳票の画像を取得するための画像取得部と、前記画像取得部にて取得した帳票の画像を表示するための表示部と、前記表示部に表示された帳票の画像に対する領域を指定し、当該指定した領域に対する設定を付する操作を行うための操作部と、前記操作部により指定された領域の特徴である領域特徴を検出し、検出した領域特徴に基づいて、前記帳票の画像から対応する他の領域を抽出し、当該抽出した領域に対し、前記操作部により付された前記設定を適用する制御部と、を備える。
【０００８】
上記の構成によれば、制御部による処理により、オペレーターが指定した領域に対して付した設定が、当該領域に対応する他の領域に対し適用される。このため、図１に記載されているような、同一または類似する領域が複数ある帳票であっても、指定した領域に対しオペレーターが付した設定が、当該領域と同一または類似する他の領域にも適用される。よって、上記構成によれば、帳票の画像に対して、効率良くかつ適切に設定作業を行うことができる。
【０００９】
なお、本態様において、「設定」には、文字認識処理の設定値の設定の他、操作部を介して指定された領域にマスクを付する設定等、帳票の画像に関連して各領域に付されるべき種々の設定が含まれ得る。
【００１０】
本態様に係る帳票画像処理装置において、前記制御部は、前記領域特徴として、前記帳票の画像において、前記操作部により指定された領域を含む最小の枠を構成する罫線レイアウトを検出するよう構成され得る。
【００１１】
また、本態様に係る帳票画像処理装置において、前記制御部は、前記領域特徴として、前記帳票の画像において、前記操作部により指定された領域に含まれる最大の枠を構成する罫線レイアウトを検出するよう構成され得る。
【００１２】
また、本態様に係る帳票画像処理装置において、前記制御部は、前記領域特徴として、前記帳票の画像において、前記操作部により指定された領域に対応する枠に含まれる文字を検出するよう構成され得る。
【００１３】
上記の構成によれば、指定された領域の枠に含まれる文字に基づき、他の領域を抽出しているため、指定された領域の枠と罫線レイアウトが同一または類似である領域であっても、その領域に含まれる文字が異なる場合に、その領域を誤って抽出することを防止できる。
【００１４】
また、本態様に係る帳票画像処理装置において、前記制御部は、前記領域特徴として、前記操作部により指定された領域の、前記帳票の画像における短手方向または長手方向の位置を検出するよう構成され得る。
【００１５】
また、本態様に係る帳票画像処理装置において、前記表示部は、前記画像取得部にて取得した画像に、前記制御部が抽出した前記他の領域を対応付けて表示し、前記操作部は、前記表示部に表示された前記他の領域の選択を受け付け、前記制御部は、前記操作部を介して選択された前記他の領域に対し、前記設定を適用するよう構成され得る。
【００１６】
上記の構成によれば、選択された領域についてのみ設定を適用できるため、不要な設定の適用を阻止できる。
【００１７】
また、本態様に係る帳票画像処理装置において、前記設定には、前記指定された領域の記載情報を削除する設定が含まれるよう構成され得る。
【００１８】
上記の構成によれば、指定した領域に含まれる記載情報について、消去を行う場合には、抽出された領域に含まれる記載情報も一括して消去できる。
【００１９】
また、本態様に係る帳票画像処理装置において、前記制御部は、前記操作部により指定された領域に領域の名称を構成する文字が含まれる場合には、前記表示部により、所定の態様による報知を行うよう構成され得る。
【００２０】
上記の構成によれば、指定された領域に対し、設定の適用を行ってもよいのかオペレーターに確認が行える。たとえば、マスクを付してはならない範囲（記載情報のタイトル部分など）まで、マスクが付されることを防止できる。たとえば、指定領域内に項目情報のタイトル名である「名称」といった文字が含まれている場合にも、この指定領域全体に対して本当にマスクを付してもよいのか確認ができる。
【００２１】
また、本態様に係る帳票画像処理装置において、前記操作部は、当該操作部により指定された領域に含まれる記載情報を文字認識するための設定値である文字認識設定の入力を受け付け、前記設定には、前記操作部により入力された文字認識設定が含まれるよう構成され得る。
【００２２】
上記の構成によれば、指定した領域について、文字認識設定を定義した場合には、抽出された領域に対しても、文字認識設定を一括して適用できる。
【００２３】
この構成において、前記制御部は、前記操作部により指定された領域に、当該操作部により受け付けた文字認識設定に適さない文字が含まれる場合には、前記表示部により、所定の態様による報知を行うよう構成され得る。
【００２４】
上記の構成によれば、指定された領域に対し、設定の適用を行ってもよいのかオペレーターに確認が行える。たとえば、金額の設定という文字認識設定に対し、指定領域内に日付を表す「年月日」の文字が含まれていた場合、本当に金額として設定してもよいのか確認ができる。
【００２５】
本発明の第２の態様は、帳票の画像に対し所定の設定を付するための帳票画像処理システムに関する。本態様に係る帳票処理システムは、帳票の画像を取得するための画像取得部と、前記画像取得部にて取得した帳票の画像を表示するための表示部と、前記表示部に表示された帳票の画像に対する領域を指定し、当該指定した領域に対する設定を付する操作を行うための操作部と、前記操作部により指定された領域の特徴である領域特徴を検出し、検出した領域特徴に基づいて、前記帳票の画像から対応する他の領域を抽出し、当該抽出した領域に対し、前記操作部により付された前記設定を適用する制御部と、を備える。
【００２６】
上記の構成によれば、第１の態様に係る帳票画像処理装置と同様の効果を奏し得る。
【００２７】
本発明の第３の態様は、帳票の画像に対し所定の設定を付するための帳票画像処理方法に関する。本態様に係る帳票画像処理方法は、帳票の画像を取得するための工程と、取得した帳票の画像を表示するための工程と、前記表示された帳票の画像に対する領域を指定し、当該指定した領域に対する設定を付する操作を受け付ける工程と、前記指定された領域の特徴である領域特徴を検出し、検出した領域特徴に基づいて、前記帳票の画像から対応する他の領域を抽出し、当該抽出した他の領域に対し、前記指定した領域に付された前記設定を適用する工程と、を含む。
【００２８】
上記の構成によれば、第１の態様に係る帳票画像処理装置と同様の効果を奏し得る。
【００２９】
本発明の第４の態様は、帳票の画像に対し、所定の設定を付するための処理をコンピューターに実行させるプログラムに関する。本態様に係るプログラムは、帳票の画像を表示するための処理と、前記表示された帳票の画像に対する領域を指定し、当該指定した領域に対する設定を付する操作を受け付ける処理と、前記指定された領域の特徴である領域特徴を検出し、検出した領域特徴に基づいて、前記帳票の画像から対応する他の領域を抽出し、当該抽出した他の領域に対し、前記指定した領域に付された設定を適用する処理と、を含む。
【００３０】
上記の構成によれば、第１の態様に係る帳票画像処理装置と同様の効果を奏し得る。
【発明の効果】
【００３１】
本発明によれば、帳票の画像に対して、効率良くかつ適切に設定作業を行うことができる。
【００３２】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３３】
【図１】図１は、連続帳票の例を示す図である。
【図２】図２は、実施形態に係る、帳票画像処理システムの環境ブロック図である。
【図３】図３は、実施形態に係る、帳票定義装置の構成を示すブロック図である。
【図４】図４は、実施形態に係る、帳票画像処理のフローチャートである。
【図５】図５は、実施形態に係る、罫線レイアウトの抽出処理を示す図である。
【図６】図６は、実施形態に係る、指定領域についての確認をするための確認画面を示す図である。
【図７】図７は、実施形態に係る、抽出された領域を選択するための選択画面を示す図である。
【図８】図８（ａ）は、実施形態に係る、指定された領域と領域内の文字が同一である領域の抽出処理を示す図であり、図８（ｂ）は、実施形態に係る、指定された領域と帳票の短手方向の位置が同一である領域の抽出処理を示す図である。
【図９】図９は、変更例１に係る、帳票消去装置の構成を示すブロック図である。
【図１０】図１０は、変更例１に係る、帳票画像処理のフローチャートである。
【図１１】図１１は、変更例１に係る、指定された領域について確認をするための確認画面を示す図である。
【図１２】図１２は、変更例１に係る、手動で領域を消去する場合における確認画面を示す図である。
【発明を実施するための形態】
【００３４】
以下、本発明の実施形態について、図面を参照して説明する。
【００３５】
なお、本実施形態において、氏名または名称、住所または所在地、納付金額および受領印等、各帳票に個別に記載される情報のことを「記載情報」と称し、各記載情報が記載されている、または、記載され得る領域のことを「記載領域」と称する。また、記載領域に記載されるべき記載情報を文字認識するための設定値のことを「文字認識設定」と称する。また、帳票の罫線レイアウトなど、帳票の種別を特定するための情報を「参照特徴情報」と称する。参照特徴情報は、罫線レイアウトに関する情報の他に、帳票のタイトルを表すキーワード、下地の色などの情報を含んでいてもよい。参照特徴情報で特定される帳票の種別ごとに、記載情報、記載領域および文字認識設定が対応づけられて、帳票画像処理システムを構成する各装置に記憶される。
【００３６】
参照特徴情報、記載領域、および文字認識設定を纏めて、特に、「定義情報」と称する場合もある。また、記載領域および文字認識設定を纏めて、特に、「読取設定」と称する場合もある。帳票画像処理システムを構成する各装置は、定義情報を共有する。
【００３７】
図２は、帳票画像処理システムの環境ブロック図である。
【００３８】
帳票画像処理システムは、帳票定義装置１と、帳票消去装置２と、帳票処理装置３と、を備える。帳票消去装置２と、帳票処理装置３は、金融機関内の内部ネットワーク４で接続される。また、帳票定義装置１と、帳票消去装置２は、外部ネットワーク５で接続される。内部ネットワーク４および外部ネットワーク５は、ＬＡＮ等の有線または無線の通信回線である。
【００３９】
帳票消去装置２は、帳票の画像から、記載情報を消去する装置である。帳票消去装置２は、たとえば、金融機関の営業店内や銀行の事務センター内に設置されている。帳票消去装置２は、たとえば、金融機関のオペレーターなどにより操作される。
【００４０】
後述のように、帳票消去装置２は、帳票処理装置３から帳票（税金、公共料金等の納付書等）の画像を受信する。帳票消去装置２は、受信した帳票の画像に対し、オペレーターによる操作に基づいて、記載情報を消去する。そして、記載情報を消去した帳票の画像（以下、「消去済みの画像」という）を帳票定義装置１に対し、送信する。
【００４１】
参照特徴情報は、記載領域と、文字認識設定とともに、帳票の種別ごとに帳票定義装置１、帳票消去装置２および帳票処理装置３に記憶されている。定義情報は、後述の処理により、帳票定義装置１において作成され、帳票消去装置２に提供される。帳票消去装置２は、受信した定義情報を記憶するとともに、定義情報を帳票処理装置３に送信する。
【００４２】
帳票定義装置１は、消去済みの画像から定義情報を作成する機能を有する。また、帳票定義装置１は、帳票の画像を管理する。上記のように、消去済みの画像は、帳票消去装置２から帳票定義装置１に送信される。帳票定義装置１は、たとえば、金融機関などが定義情報の作成を委託する外部のアウトソーシングセンターに設置されている。
【００４３】
帳票定義装置１は、オペレーターの操作に応じて、消去済みの画像から定義情報を作成する。帳票定義装置１は、作成した定義情報を記憶部１３（図３参照）に記憶する。さらに、帳票定義装置１は、作成した定義情報を帳票消去装置２に送信する。その後、帳票消去装置２から、帳票処理装置３に対し、定義情報が送信される。
【００４４】
帳票処理装置３は、帳票を処理する自動機である。帳票処理装置３は、たとえば、金融機関の店舗に設置されている。帳票処理装置３は、帳票消去装置２から受信した定義情報を記憶している。帳票処理装置３は、払込人によりセットされた帳票を受け付けて、帳票の画像を取得する。その後、当該定義情報を用いて、後述する処理により帳票に記載された金額などの記載情報を読み取る。
【００４５】
次に、図２を用いて、帳票画像処理システムにおける処理の概要を示す。便宜上、図２には、処理の流れを示すステップ番号（Ｓ１〜Ｓ７）が付記されている。
【００４６】
帳票処理装置３は、帳票の挿入口により受け付けた帳票に対し、内蔵しているスキャナなどを用いてスキャンを行い、帳票の画像を取得する（ステップＳ１）。帳票処理装置３は、取得した帳票の画像と、予め帳票処理装置３に記憶した参照特徴情報を用いて、帳票の種別を確定する。具体的には、帳票処理装置３は、取得した帳票の画像にマッチングする参照特徴情報を抽出し、抽出した参照特徴情報に対応する帳票の種別を当該帳票の種別に確定する。
【００４７】
次に、帳票処理装置３は、確定した種別の帳票について、記載領域、および、文字認識設定をもとに、帳票の記載情報を文字認識する。そして、帳票処理装置３は、文字認識した金額情報等の記載情報に基づき、顧客に料金の支払いを要求し、精算処理を実行する。
【００４８】
ここで、帳票処理装置３は、帳票の種別が確定できないと判定した場合や、文字認識が行えなかった場合に、顧客に対し、受け付けた帳票を処理できない旨の報知を行い、帳票を返却する処理を行う。その後、このような帳票と同じ種別の帳票を受け付けた場合に、帳票の種別が確定できない状況を減らす必要がある。そのために、当該帳票に対応する定義情報を作成する必要がある。
【００４９】
本実施形態では、このような場合に、定義情報の作成作業が、該帳票処理装置３が設置された金融機関とは異なる外部のアウトソーシングセンターに委託される。この場合、個人情報保護の観点から、作成に直接必要とはならない氏名、住所、口座番号等、その情報によって個人が特定され得る個人情報等の記載が、アウトソーシングセンターに提供される帳票の画像から消去されるべきである。
【００５０】
そこで、本実施形態では、帳票処理装置３で取得された帳票の画像を外部のアウトソーシングセンターに送信する前に、営業店内の帳票消去装置２において、帳票の画像から記載情報が消去され、記載情報が消去された帳票の画像が、帳票消去装置２から帳票定義装置１に送信される。すなわち、帳票処理装置３と同じ内部ネットワーク４上にある帳票消去装置２を用いて、帳票画像の記載が消去される。記載情報の消去は、たとえば、営業店のオペレーターによるマニュアル操作よって行われる。また、消去される記載情報は、個人が特定され得る情報であって、金額や納付期限等の数字や年月日は、消去される記載情報には含まれない。
【００５１】
帳票処理装置３は、ステップ１にて取得した帳票の画像を、内部ネットワーク４を介して、帳票消去装置２に対し送信する（ステップＳ２）。帳票消去装置２は、受信した帳票の画像から記載情報の少なくとも一部を消去する（ステップＳ３）。その後、帳票消去装置２は、記載情報の一部を消去した帳票の画像（消去済みの画像）を、外部ネットワーク５を介して、帳票定義装置１に対して送信する（ステップＳ４）。
【００５２】
このようにすることで、個人情報の保護に配慮しつつ、外部のアウトソーシングセンターに対し、定義情報の作成を委託することができる。
【００５３】
次に、帳票定義装置１は、外部アウトソーシングセンターのオペレーターの操作に応じて、受信した帳票の画像から定義情報を作成する（ステップＳ５）。そして、帳票定義装置１は、作成した定義情報を、外部ネットワーク５を介して、帳票消去装置２に送信する（ステップＳ６）。
【００５４】
次に、帳票消去装置２は、帳票定義装置１から受信した定義情報を記憶部に記憶し、さらに、受信した定義情報を、内部ネットワーク４を介して、帳票処理装置３に対し送信する（ステップＳ７）。帳票処理装置３は、受信した定義情報を記憶部に記憶する。これにより、帳票処理装置３は、以前は、帳票の種別が確定できなかった帳票について、該帳票の定義情報を取得できる。これにより、帳票処理装置３は、当該帳票と同じ種別の帳票について、帳票の種別を確定できる。こうして、帳票処理装置３は、新たに記憶された定義情報の種別と同じ種別の帳票について、記載情報を文字認識することが可能となり、精算処理を実行できるようになる。
【００５５】
図３は、帳票定義装置１の構成を示すブロック図である。
【００５６】
帳票定義装置１は、通信部１１と、制御部１２と、記憶部１３と、操作部１４と、表示部１５とから構成される。
【００５７】
記憶部１３は、ＲＯＭ（Read Only Memory）、ＲＡＭ（Random Access Memory）やハードディスク等の記憶媒体を備える。記憶部１３は、制御部１２の動作プログラムを記憶し、また、制御部１２の制御処理の際にワーク領域として利用される。当該動作プログラムは、帳票画像処理プログラム１３５であり、たとえば、ＣＤ−ＲＯＭ(Compact Disc Read Only Memory)やＵＳＢメモリ〔USB（Universal Serial Bus） flash drive〕などの外部記憶媒体を介して、記憶部１３に記憶される。
【００５８】
また、記憶部１３は、消去済み画像データベース１３１と、参照特徴情報データベース１３２と、読取設定データベース１３３、領域抽出設定１３４とを記憶している。消去済み画像データベース１３１は、帳票消去装置２から受信した消去済みの画像を管理する。参照特徴情報データベース１３２および読取設定データベース１３３は、それぞれ、当該帳票の画像から作成された参照特徴情報および読取設定を管理する。領域抽出設定１３４は、帳票の画像に対し、操作部１４を介し、オペレーターにより指定された領域に対応する他の領域を抽出するかについての設定である。
【００５９】
オペレーターが、指定した領域に対応する他の領域を抽出する必要があると判断した場合には、オペレーターにより、他の領域を抽出する旨の設定がなされて、領域抽出設定１３４にそのことを示す情報（フラグ等）が保持される。この場合、制御部１２は、オペレーターにより指定された領域に対応する他の領域を抽出する処理を実行する。一方、オペレーターが、指定した領域に対応する他の領域を抽出する必要がないと判断した場合には、オペレーターにより、他の領域を抽出しない旨の設定がなされて、領域抽出設定１３４にそのことを示す情報（フラグ等）が保持される。この場合、制御部１２は、オペレーターにより指定された領域に対応する他の領域を抽出する処理を実行しなくなる。この設定は、オペレーターにより領域の設定がなされる全ての帳票の画像に対し、適用される。
【００６０】
操作部１４は、キーボードやマウス等の操作手段を備える。操作部１４は、ディスプレイに対するオペレーターの操作を受け付ける。表示部１５は、画像を表示するためのディスプレイを備える。表示部１５は、ディスプレイに各種の画像（画面）を表示する。オペレーターは、表示部１５に表示された消去済みの画像を参照しながら操作部１４を操作して、定義情報を生成する。
【００６１】
次に、帳票定義装置１において帳票の画像から定義情報を作成する処理について説明する。
【００６２】
図４は、帳票画像処理のフローチャートである。以下の例では、便宜上、参照特徴情報が罫線レイアウトのみであるとして説明を行う。
【００６３】
制御部１２は、通信部１１を介し帳票消去装置２から取得した帳票の画像を、表示部１５に表示する（Ｓ１０１）。次に、制御部１２は、表示部１５に表示された帳票の画像に対し、操作部１４を介し、オペレーターによる領域の指定を受け付ける領域指定受付処理を行う（Ｓ１０２）。なお、ここでいう領域とは、記載情報が記載されている記載領域のことを示す。次に、制御部１２は、ステップＳ１０２にて指定された領域に含まれる記載情報について、文字認識設定の入力を受け付ける（Ｓ１０３）。
【００６４】
次に、制御部１２は、ステップＳ１０２にて指定された領域について、公知の非定型文字認識処理などにより文字認識を行う（Ｓ１０４）。制御部１２は、ステップＳ１０４にて文字認識をした領域に所定の文字が含まれているか否かを判定し（Ｓ１０５）、当該領域に所定の文字が含まれていない場合（Ｓ１０５：ＮＯ）、ステップＳ１０２にて受け付けた領域に対応する他の領域を抽出する必要があるかについて、領域抽出設定１３４を参照し、確認する（Ｓ１０８）。
【００６５】
なお、ここでいう、所定の文字とは、後述する、当該領域に対し設定された文字認識設定からすると、記載されていると想定され得ない文字のことである。たとえば、金額の設定という文字認識設定に対しては、算用数字などが記載されていると想定される。これに対し、指定領域内に日付を表す「年月日」の文字が含まれていた場合、この文字が、想定され得ない文字に該当する。すなわち、所定の文字とは、当該領域に設定された文字認識設定に適合しない文字のことである。
【００６６】
一方、ステップＳ１０５にて文字認識をした領域に所定の文字が含まれている場合（Ｓ１０５：ＹＥＳ）、制御部１２は、後述する図６の画面などにより、オペレーターに対し、定義情報を作成する処理を続行してもよいか確認する（Ｓ１０６）。続行許可がなされなかった場合（Ｓ１０７：ＮＯ）、制御部１２は、再度、ステップＳ１０４の処理を行う。これにより、オペレーターは、再度指定領域に対する文字認識設定をやり直すことができる。
【００６７】
一方、続行許可がなされた場合（Ｓ１０７：ＹＥＳ）、制御部１２は、ステップＳ１０８へ移行する。ステップＳ１０８の処理において、制御部１２は、領域抽出設定１３４を参照し、ステップＳ１０２にて指定された領域に対応する他の領域を抽出するように設定がなされているかを確認する。他の領域を抽出するように設定がなされていない場合（Ｓ１０８：ＮＯ）、制御部１２は、後述するステップＳ１１２の処理により、ステップＳ１０２にてオペレーターにより指定された領域に対し、文字認識設定を適用してもよいか確認する。
【００６８】
一方、他の領域を抽出するように設定がなされている場合（Ｓ１０８：ＹＥＳ）、制御部１２は、ステップＳ１０２にて指定された領域の領域特徴（ここでは、罫線レイアウト）を抽出する（Ｓ１０９）。罫線レイアウトとは、たとえば、枠の形状や大きさ、枠を区切る線の数、枠および区切り線の種類（実線や破線）等を含む。その後、制御部１２は、ステップＳ１０９にて抽出した罫線レイアウト（領域特徴）に対応する罫線レイアウト（他の領域の領域特徴）を有する他の領域（以下、単に「他の領域」を称する）を抽出する（Ｓ１１０）。ここでいう対応する罫線レイアウトとは、ステップＳ１０９で抽出した罫線レイアウトとの類似度が、一定の値を超える罫線レイアウトのことをいう。
【００６９】
その後、制御部１２は、ステップＳ１１０に抽出した他の領域を、帳票消去装置２から取得した帳票の画像と重ね合わせて、表示部１５に表示する。そして、制御部１２は、他の領域のいずれに対し、ステップＳ１０３にて設定した文字認識処理を適用するのかの選択を、操作部１４を介し、オペレーターから受け付ける領域選択受付処理を行う（Ｓ１１１）。
【００７０】
オペレーターによる領域の選択を受け付けた後に、制御部１２は、選択を受け付けた領域について、ステップＳ１０３にてオペレーターにより、入力された文字認識設定を適用してもよいかについて、表示部１５を介し、オペレーターに確認を行う（Ｓ１１２）。オペレーターにより確認の入力がなされると、制御部１２は、ステップＳ１０２にて指定された領域、および、ステップＳ１１１にて選択された領域に対し、文字認識設定を適用する（Ｓ１１３）。
【００７１】
なお、領域抽出設定１３４において、他の領域を抽出するように設定されていない場合（Ｓ１０８：ＮＯ）においては、制御部１２は、ステップＳ１０２にて指定された領域に対してのみ文字認識設定を適用する。
【００７２】
そして、制御部１２は、文字認識設定のために、他に指定したい領域がないかについて、図示しない確認画面を表示部１５に表示し、オペレーターに確認をする（Ｓ１１４）。オペレーターにより、領域の指定が完了している旨を受け付けると（Ｓ１１４：ＹＥＳ）、ステップＳ１１３にて適用した文字認識設定に、当該文字認識設定を適用した領域（記載領域）に関する情報を紐付けて、読取設定として読取設定データベース１３３に記憶する。また、これに際し、帳票の画像から取得され得る参照特徴情報も参照特徴情報データベース１３２に記憶する（Ｓ１１５）。
【００７３】
こうして、帳票画像に関する定義情報（参照特徴情報、記載領域、および文字認識設定）を作成する処理が終了する。なお、制御部１２が、記憶された読取設定と参照特徴情報を、通信部１１を介して帳票消去装置２に送信することは、図２のステップＳ６にて説明したとおりである。
【００７４】
一方、ステップＳ１１４の確認処理において、文字認識設定のために他に指定したい領域があること、すなわち、領域の指定が完了していない旨を受け付けた場合（Ｓ１１４：ＮＯ）、制御部１２は、再度、ステップＳ１０２の処理を行う。
【００７５】
なお、ステップＳ１１２の確認処理において、オペレーターが、ステップＳ１１１にて選択した領域に対する文字認識の適用を許可しない場合がある。この場合、制御部１２は、ステップＳ１１３の処理において、いずれの領域に対しても、文字認識設定を適用しない。
【００７６】
また、ステップＳ１０７において、続行許可がなかった場合（Ｓ１０７：ＮＯ）、制御部１２は、処理をステップＳ１０４に戻して、再度、文字認識処理を実行したが、これに限らず、ステップＳ１０７の判定がＮＯの場合に、処理をステップＳ１０２に戻して、再度、領域指定受付処理を行うようにしてもよい。
【００７７】
図５（ａ）〜（ｃ）は、ステップＳ１０２の処理にて、指定された領域から領域特徴（ここでは、罫線レイアウト）を抽出する処理を示す図である。図５（ａ）は、オペレーターが、合計額の記載領域の枠のやや内側を指定領域として指定した場合を示している。ここでは、指定領域の枠と、記載領域の枠との間に隙間がある。この場合、制御部１２は、図５（ｃ）に示すように、指定領域の特徴情報として、当該指定領域を含む、最小の枠である合計額の記載領域の枠の罫線レイアウトを自動的に抽出する。さらに、図５（ｂ）に示すように、指定領域の枠が、記載領域の枠よりも大きい場合もある。この場合も、制御部１２は、図５（ｃ）に示すように当該指定領域に含まれる最大の枠である合計額の記載領域の枠を指定領域の罫線レイアウトを自動的に抽出する。
【００７８】
図５（ａ）に基づく領域特徴を抽出する処理、および、図５（ｂ）に基づく領域特徴を抽出する処理は選択的に用いられる。たとえば、制御部１２は、指定した領域と指定した領域を含む最小の枠との隙間と、指定した領域と指定した領域に含まれる最大の枠との隙間の大きさを比較し、前者の隙間が小さいのであれば、図５（ａ）による処理により罫線レイアウトを抽出する。一方、後者の隙間が小さいのであれば、制御部１２は、図５（ｂ）による処理により罫線レイアウトを抽出する。
【００７９】
図６は、ステップＳ１０７の処理において、オペレーターに対し、定義情報を作成する処理を続行してもよいかを確認する画面である。たとえば、図６左上図にあるように、ステップＳ１０２の処理において、指定された「納付限」の記載領域に対し、ステップＳ１０３の処理において、「金額情報」という項目名で文字認識設定がされたものとする。この場合、制御部１２は、ステップＳ１０４の処理の文字認識処理により、指定された領域を文字認識する。これにより、平成２９年５月１０日との文字認識結果が抽出される。
【００８０】
ここで、制御部１２は、「金額情報」と設定された項目に対して、不適切な文字（ここでいう年、月、日といった文字）が含まれていないかを確認する。今回のように、文字認識した結果に年月日という文字が含まれている場合、制御部１２は、図６右下にあるように、指定した領域が、本当に文字認識設定の対象とされるべき項目であるかについて、表示部１５を介し、確認表示を行う（ステップＳ１０６）。確認表示は、たとえば、「はいボタン」と「いいえボタン」とにより構成される。
【００８１】
当該画面において、オペレーターが「はいボタン」を押下した場合、制御部１２は、文字認識設定の適用が許可されたものと判断する（Ｓ１０７：ＹＥＳ）。一方、「いいえボタン」が押下された場合、制御部１２は、文字認識設定の適用が許可されていないものと判断する（Ｓ１０７：ＮＯ）。この場合、制御部１２は、画面を図示しない文字認識設定の設定画面へと遷移させ、オペレーターに対し、再度の文字認識設定を促す。なお、ステップＳ１０６の確認処理においては、文字に限らず、特定の記号（住所という項目名に対する郵便番号の記号など）があるかを確認してもよい。
【００８２】
なお、領域の指定においては、文字認識の結果以外にも、領域内に枠を構成する実線（点線除く）など、所定の種別の線が含まれている場合に、ステップＳ１０６において、オペレーターに対し、領域の抽出を誤っていないか確認をしてもよい。
【００８３】
図７は、ステップＳ１１１において、抽出された領域を選択するための選択画面を示す図である。この図では、ステップＳ１０２にて領域指定された領域Ａ１に対応する（罫線レイアウトが類似する）他の領域が、表示部１５に表示される。オペレーターは、当該他の領域のいずれに対し、領域Ａ１に設定しようとする文字認識設定を適用するのかを選択する。指定された領域と、抽出された領域のうち選択された領域、および抽出された領域のうち選択されなかった領域は、それぞれ別々の態様にて表示される。選択後、「選択完了ボタン」が押下されると、領域Ａ１、および、選択された領域に対し、文字認識設定が適用される（ステップＳ１１３）。
【００８４】
なお、制御部１２は、ステップＳ１１０の処理において領域抽出処理を行う場合には、図８（ａ）、（ｂ）に示された抽出処理によって、領域を抽出してもよい。
【００８５】
図８（ａ）は、指定された領域と領域内の文字が同一である領域の抽出処理を示す図である。制御部１２は、他の領域を抽出するに際し、図５において説明した処理に基づいて、指定領域に対応する記載領域の枠を導き出す。次に制御部１２は、当該枠内の文字（記号を含む）を公知の非定型文字認識技術などを用いて文字認識する。そして、制御部１２は、罫線レイアウトが対応しているだけでなく、罫線レイアウトを構成する枠内の文字も同一である他の領域を抽出する。すなわち、指定した領域の領域特徴に、罫線レイアウトだけでなく、文字認識によって認識した文字も含めて、他の領域を抽出する。これにより、記載情報が同一の領域に対して文字認識の設定を適用できる。よって、不要に文字認識の設定が適用されることを防止できる。なお、指定された領域内の文字を認識できなかった場合は、他の領域を抽出するに際して、罫線レイアウトが整合し、且つ、領域内の文字を認識できなかった領域を、他の領域として抽出してもよい。
【００８６】
図８（ｂ）は、指定された領域から帳票の画像の長手方向に他の領域を抽出する処理を示す図である。制御部１２は、他の領域を抽出するに際し、指定領域を構成する枠と罫線レイアウトが対応している領域を、指定領域から帳票の画像の長手方向に探索することにより、他の領域を抽出する。図１に示すような同一または類似する領域が複数ある帳票のように、記載情報が同じ枠は、帳票の画像上の短手方向の位置がほぼ同一である位置において、帳票の画像の長手方向に並ぶように配置される場合が多い。このような場合に、指定領域に対応する領域の抽出を、指定領域から帳票の画像の長手方向にのみ探索することにより行うことで、処理時間を短縮できるとの効果が奏され得る。
【００８７】
図８（ａ）に示す抽出処理、図８（ｂ）に示す抽出処理の何れか１つの処理にて他の領域の抽出を行ってもよい。それに加え、両方ともの処理にて他の領域の抽出を行ってもよい。たとえば、図８（ａ）に示した抽出処理において、指定領域内の文字認識が行えなかった場合のみ、図８（ｂ）による処理を行ってもよい。また、図８（ｂ）による処理を行ったあと、抽出された領域のうち、指定領域内に含まれている文字が同じ領域のみ他の領域として抽出してもよい。
【００８８】
図８（ｂ）に示す抽出処理においては、指定領域から帳票の画像の長手方向に、他の領域抽出を探索する場合を説明した。これに限らず、帳票の画像の短手方向の位置がほぼ同一である他の領域を抽出してもよい。
【００８９】
＜実施形態の効果＞
本実施形態によれば、以下の効果が奏される。
【００９０】
（１）図４を参照して説明したように、帳票定義装置１は、制御部１２による処理により、オペレーターが、指定した領域に対して付した文字認識処理の設定が、自動で、当該領域に対応する他の領域に対し適用される。このため、図１に示されているような、同一または類似する領域が複数ある帳票であっても、帳票の画像に対して、効率良くかつ適切に設定作業を行うことができる。
【００９１】
（２）図５（ａ）〜（ｃ）に示したように、制御部１２は、指定された領域の領域特徴として、指定された領域を含む最小の枠または指定された領域に含まれる最大の枠の罫線レイアウトを検出する。これにより、オペレーターが、枠よりやや小さい領域または枠よりやや大きい領域を指定した場合も、指定された領域に対応する枠の罫線レイアウトを領域特徴として適切に検出できる。
【００９２】
（３）図８（ａ）を参照して説明したように、制御部１２は、領域特徴として、操作部１４により指定された領域に対応する枠に含まれる文字を検出する。これにより、指定された領域に対応する枠と罫線レイアウトが同一または類似である領域であっても、その領域に含まれる文字が異なる場合に、その領域を誤って抽出することを防止できる。
【００９３】
（４）図７を参照して説明したように、制御部１２により抽出された他の領域が、オペレーターにより指定された領域Ａ１に対応付けて表示される。そして、制御部１２は、操作部１４を介して、他の領域の選択を受け付け、選択された他の領域に対して、領域Ａ１の設定を適用する。これにより、抽出された他の領域のうち、オペレーターにより選択された領域についてのみ設定を適用できるため、不要な設定の適用を防ぐことができる。
【００９４】
（５）図６を参照して説明したように、操作部１４により指定された領域に、当該領域に付された文字認識設定に適さない文字がある場合、制御部１２は、表示部１５を介して、確認のための報知を行う。このように、オペレーターに確認が行われことにより、不適切な設定の適用を防ぐことができる。
【００９５】
なお、本発明は、上記実施形態によって何ら制限されるものではなく、また、本発明の実施形態も、以下に示す通り、上記以外に種々の変更が可能である。
【００９６】
＜変更例１＞
変更例１に係る帳票画像処理システムにおいては、上記実施形態と異なり、図２に示した帳票消去装置２において、帳票の画像上の所定の領域を塗り潰して消去する（マスクする）処理について説明する。すなわち、帳票消去装置２が帳票処理装置３から受信した帳票の画像に対し、所定の記載情報を消去する処理について説明する。なお、図５（ａ）〜（ｃ）、図８（ａ）、（ｂ）に示したような処理等、上記実施形態と同じ部分については、説明を省略する。
【００９７】
図９は、帳票消去装置２の構成を示すブロック図である。
【００９８】
帳票消去装置２は、記憶部２１と、制御部２２と、通信部２３と、操作部２４と、表示部２５とを備える。
【００９９】
記憶部２１は、記憶部１３と同じく、ＲＯＭ（Read Only Memory）、ＲＡＭ（Random Access Memory）やハードディスク等の記憶媒体を備える。記憶部２１は、制御部２２の動作プログラムを記憶し、また、制御部２２の制御処理の際にワーク領域として利用される。当該動作プログラムは、帳票画像処理プログラム２１３であり、たとえば、ＣＤ−ＲＯＭ(Compact Disc Read Only Memory)やＵＳＢメモリ〔USB（Universal Serial Bus） flash drive〕などの外部記憶媒体を介して、記憶部２１に記憶される。
【０１００】
また、記憶部２１は、消去済み画像データベース２１１と、領域抽出設定２１２とを記憶している。消去済み画像データベース２１１は、帳票処理装置３から受信した帳票の画像に対する消去済みの画像を管理する。領域抽出設定２１２は、領域抽出設定１３４と同様に、他の領域を抽出するかについての設定であり、ここでは詳細な説明を省略する。
【０１０１】
操作部２４は、操作部１４と同じく、キーボードやマウス等の操作手段を備える。操作部２４は、ディスプレイに対するオペレーターの操作を受け付ける。表示部２５は、ディスプレイを備える。表示部２５は、ディスプレイに各種の画像（画面）を表示する。オペレーターは、表示部２５に表示された帳票の画像を参照しながら操作部２４を操作して、消去済みの画像を生成する。
【０１０２】
次に、帳票消去装置２において帳票の画像から、所定の記載情報を消去し、消去済みの画像を作成する処理について説明する。
【０１０３】
図１０は、帳票画像処理のフローチャートである。以下の例では、便宜上、参照特徴情報が罫線レイアウトのみであるとして説明を行う。
【０１０４】
制御部２２は、通信部２３を介して帳票処理装置３から取得した帳票の画像を、表示部２５に表示する（Ｓ２０１）。次に、制御部２２は、表示部２５に表示された帳票の画像に対し、操作部２４を介して、オペレーターによる領域の指定を受け付ける領域指定受付処理を行う（Ｓ２０２）。なお、ここでいう領域とは、記載情報が記載されている記載領域のことを示す。
【０１０５】
次に、制御部２２は、ステップＳ２０２にて、指定された領域について、公知の非定型文字認識処理などにより文字認識を行う（Ｓ２０３）。そして、制御部２２は、ステップＳ２０３にて文字認識をした領域に所定の文字が含まれているか否かを判定し（Ｓ２０４）、当該領域に所定の文字が含まれていない場合（Ｓ２０４：ＮＯ）、ステップＳ２０２にて受け付けた領域に対応する他の領域を抽出する必要があるかについて、領域抽出設定２１２を参照し、確認する（Ｓ２０７）。
【０１０６】
なお、ここでいう、所定の文字とは、後述する、領域の名称に関連する文字のことである。たとえば、制御部２２が、ステップＳ２０３の処理において指定された領域に対し文字認識を行った結果、指定された領域に「名称」という文言が含まれていた場合、当該「名称」という文字が所定の文字に該当する。他にも「氏名」、「領収印」、「金額」などが領域の名称として想定され得る。さらに、これらの一部を構成する「名」、「領収」、「印」「金」なども領域の名称に関連し得る。これらの所定の文字は、オペレーターによる操作により任意に設定されてもよい。
【０１０７】
一方、ステップＳ２０３にて文字認識をした領域に所定の文字が含まれている場合（Ｓ２０４：ＹＥＳ）、制御部２２は、後述する図１１の画面図などにより、オペレーターに対し、定義情報を作成する処理を続行してもよいか確認する（Ｓ２０５）。続行許可がなされなかった場合（Ｓ２０６：ＮＯ）、制御部２２は、再度、ステップＳ２０２の処理を行う。これにより、オペレーターは、領域の指定をやり直すことができる。
【０１０８】
一方、続行許可がなされた場合（Ｓ２０６：ＹＥＳ）、制御部２２は、ステップＳ２０７へ移行する。ステップＳ２０７の処理において、制御部２２は、領域抽出設定２１２を参照し、ステップＳ２０２にて指定された領域に対応する他の領域を抽出するように設定されているかを確認する。他の領域を抽出するように設定されていない場合（Ｓ２０７：ＮＯ）、制御部２２は、後述するステップＳ２１１の処理により、ステップＳ２０２にてオペレーターにより指定された領域に対し、帳票の画像を消去してもよいか確認をする。
【０１０９】
一方、他の領域を抽出するように設定がなされている場合（Ｓ２０７：ＹＥＳ）、制御部２２は、ステップＳ２０２にて指定された領域の領域特徴（ここでは、罫線レイアウト）を抽出する（Ｓ２０８）。その後、制御部２２は、ステップＳ２０８にて抽出した罫線レイアウト（領域特徴）に対応する罫線レイアウト（他の領域の領域特徴）を有する他の領域（以下、単に「他の領域」を称する）を抽出する（Ｓ２０９）。ここでいう対応する罫線レイアウトとは、ステップＳ２０８で抽出した罫線レイアウトとの類似度が、一定の値を超える罫線レイアウトのことをいう。
【０１１０】
その後、制御部２２は、ステップＳ２０９にて抽出した他の領域を、帳票消去装置２から取得した帳票の画像と重ね合わせて、表示部２５に表示する。そして、制御部２２は、他の領域のいずれに対し、画像を消去するのかの選択を、操作部２４を介し、オペレーターから受け付ける領域選択受付処理を行う（Ｓ２１０）。オペレーターによる領域の選択を受け付けた後に、制御部２２は、受け付けた領域について、画像を消去してもよいかについて、表示部２５を介し、オペレーターに確認を行う（Ｓ２１１）。そして、制御部１２は、ステップＳ２０２にて指定された領域、および、ステップＳ２１０にて選択された領域に対し、画像を消去する処理（マスク処理）を実行する（Ｓ２１２）。
【０１１１】
そして、制御部２２は、画像を消去するために、他に指定したい領域がないかについて、図示しない確認画面を表示部２５に表示し、オペレーターに確認する（Ｓ２１３）。オペレーターにより、領域の指定が完了している旨を受け付けると（Ｓ２１３：ＹＥＳ）、制御部２２は、消去済みの画像を消去済み画像データベース１３１に記憶する（Ｓ２１４）。こうして、帳票の画像を消去する処理が終了する。なお、記憶された消去済みの画像を、通信部２３を介して帳票定義装置１に送信することは、図２のステップＳ４にて説明したとおりである。
【０１１２】
一方、ステップＳ２１３の確認処理において、帳票画像の消去のために他に指定したい領域があること、すなわち、領域の指定が完了していない旨を受け付けた場合（Ｓ２１３：ＮＯ）、制御部２２は、再度、ステップＳ２０２の処理を行う。
【０１１３】
なお、ステップＳ２１１の確認処理において、オペレーターが、ステップＳ２１０にて選択した領域に対する画像の消去を許可しない場合がある。この場合には、制御部２２は、ステップＳ２１２の処理において、いずれの領域に対しても、画像を消去しない。なお、領域抽出設定１３４において、他の領域を抽出するように設定されていない場合（Ｓ１０８：ＮＯ）、制御部１２は、ステップＳ１０２にて指定された領域に対してのみ画像を消去する。
【０１１４】
図１１は、ステップＳ２０５の処理において、オペレーターに対し、帳票の画像を消去する処理を続行してもよいかを確認する画面である。たとえば、図１１左上図にあるように、ステップＳ２０２の処理において、オペレーターによる操作により、「名称…鈴木  一郎様」の文字が印字された領域が指定されたものとする。この場合、制御部１２は、ステップＳ２０３の処理の文字認識処理により、当該指定領域には、「名称…鈴木  一郎様」という文字を認識する。
【０１１５】
ここで、制御部２２は、認識した文字のうち「名称」という文字については、領域の名称である可能性がある場合があるため、本当に当該文字を含めて指定された領域を消去してよいかをオペレーターに確認をする。今回のように、文字認識した結果に「名称」という文字が含まれている場合、制御部２２は、図１１右下にあるように、指定した領域が、本当に消去の対象とされるべき範囲であるかについて、表示部２５を介し、確認表示を行う（ステップＳ２０５）。確認表示は、たとえば、「はいボタン」と「いいえボタン」とを含んでいる。
【０１１６】
当該画面において、オペレーターが「はいボタン」を押下した場合、制御部１２は、画像の消去が許可されたものと判断する（Ｓ２０６：ＹＥＳ）。一方、「いいえボタン」が押下された場合、制御部１２は、画像の消去が許可されていないものと判断する（Ｓ２０６：ＮＯ）。この場合、制御部１２は、ステップＳ２０２に示す処理に戻り、オペレーターに対し、再度の領域指定を促す。
【０１１７】
＜変更例１の効果＞
本変更例によれば、以下の効果が奏される。
【０１１８】
（１）図１０を参照して説明したように、オペレーターが、領域を指定して設定したマスクを付する設定が、制御部２２による処理により、自動で、当該領域に対応する他の領域に対し適用される。これにより、帳票の画像に対して、効率良くかつ適切に設定作業を行うことができる。
【０１１９】
（２）更に、図１１を参照して説明したように、制御部２２は、操作部２４により指定された領域に領域の名称を構成する文字が含まれる場合に、当該領域に対して消去処理を適用してよいかの報知を行う。これにより、不適切な設定（消去）の適用を防ぐことができる。
【０１２０】
（３）更に、帳票から個人情報等の記載が消去された状態で帳票の画像が外部の帳票定義装置１に送信されるため、個人情報等の記載が外部に漏洩することを防ぐことができる。
＜その他の変更例＞
図１２は、変更例１において、領域抽出設定２１２において、他の領域を抽出しない旨の設定がなされている場合に、オペレーターが指定した消去領域に誤りがないかの確認処理の態様を示す図である。この場合は、ステップＳ２０９に示されるような他の領域を自動で抽出する処理はなされない。
【０１２１】
図１２上図にあるように、オペレーターによる操作により、帳票の長手方向に３つの領域Ｂ１、Ｂ２、Ｂ３が指定されているものとする。この場合、ステップＳ２０３の処理によって、各領域の文字認識処理がなされる。この場合、制御部１２は、領域Ｂ１から「鈴木  一郎  様」、領域Ｂ２から「鈴木  一郎  様」、領域Ｂ３から「木  一郎  様」という文字を文字認識することになる。
【０１２２】
ここで、領域Ｂ３が含んでいる文字が、長手方向に並んである他の領域Ｂ１、Ｂ２が含んでいる文字と異なっている。制御部２２は、図１２下図にあるような画面を用いて、領域の指定に問題がないかを、ステップＳ２１１の確認処理において、表示部２５を介し、オペレーターに確認する。これにより、オペレーターは、領域Ｂ３における領域の指定に誤りがあることに気付くことが可能となる。
【０１２３】
なお、図１２下図に示しているように、消去しても問題ないと判断する領域（長手方向に並んである複数の指定領域の文字認識結果がそれぞれ一致している領域）と、消去の適否を確認すべきと判断する領域（文字認識結果が一致していない領域）とが、互いに異なる態様で表示されてもよい。
【０１２４】
また、オペレーターが消去対象として３つの領収印の領域を指定した場合は、文字認識ではなく、領収印を指定する領域内の画像のマッチングにより、各領域に同じ印影が含まれているかの確認を行ってもよい。
【０１２５】
図１２の説明においては、画像の消去について説明を行ったが、帳票定義装置１における定義情報の作成処理においても、他の領域を抽出しない旨の設定がなされている場合に、同様に確認処理を実行してもよい。この場合も本変更例の場合と同様に、オペレーターは、指定した複数の領域の何れかに指定の誤りがあることに気付くことが可能となる。
【０１２６】
なお、画像の消去は、必ずしも、塗り潰す（マスクする）作業により行われなくてもよく、消去対象の領域に対し、モザイクを施す、あるいは、切り出すなどの方法によって、記載情報の消去が行われてもよい。
【０１２７】
また、上記実施形態および変更例では、通信により他の装置から帳票の画像を取得したが、帳票の画像の取得方法はこれに限られるものではない。たとえば、帳票消去装置２においてスキャナにより、帳票から帳票の画像が取得されてもよく、あるいは、帳票定義装置１においてスキャナにより、記載情報が消去された帳票から帳票の画像が取得されてもよい。
【０１２８】
その他、本発明の実施形態は、特許請求の範囲に記載の範囲で適宜変更可能である。
【符号の説明】
【０１２９】
１  帳票定義装置（帳票画像処理装置）
２  帳票消去装置（帳票画像処理装置）
３  帳票処理装置
１１  通信部（画像取得部）
１２  制御部（制御部）
１３  記憶部
１３５  帳票画像処理プログラム（帳票画像処理プログラム）
１４  操作部（操作部）
１５  表示部（表示部）
２１  記憶部
２２  制御部（制御部）
２２３  帳票画像処理プログラム（帳票画像処理プログラム）
２３  通信部（通信部）
２４  操作部（操作部）
２５  表示部（表示部）
【図１】
2019095858.tif 000003
【図２】
2019095858.tif 000004
【図３】
2019095858.tif 000005
【図４】
2019095858.tif 000006
【図５】
2019095858.tif 000007
【図６】
2019095858.tif 000008
【図７】
2019095858.tif 000009
【図８】
2019095858.tif 000010
【図９】
2019095858.tif 000011
【図１０】
2019095858.tif 000012
【図１１】
2019095858.tif 000013
【図１２】
2019095858.tif 000014